(57)【要約】【課題】ハイパーフレームの同期とシンボルの同期とを同時に確立することができ、しかもＡＴＵ−ＣとＡＴＵ−Ｒとの距離が遠距離になっても確実に同期確立できるようにすること。【解決手段】ＡＴＵ−ＲとなるＡＤＳＬモデム装置２は、イニシャライズ手順が開始されると既知個数のシンボルからなりＦＥＸＴ部とＮＥＸＴ部とで構成されたハイパーフレーム形式の信号を受信する。受信された信号をＡＦＥ１３でサンプリングして、ＦＦＴ部２７のバッファメモリ２７ａに格納する。ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後、プロセッサ２０が当該独自信号のサンプルデータに基づいてシンボル同期及びハイパーフレーム同期を確立する。【選択図】　　　図７
2004064444.tif 000002
【特許請求の範囲】
【請求項１】
イニシャライズ手順が開始されると既知個数のシンボルからなりＦＥＸＴ部とＮＥＸＴ部とで構成されたハイパーフレーム形式の信号が受信される受信手段と、この受信手段で受信された信号をサンプリングしてサンプルデータを出力するサンプリング手段と、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後に当該独自信号のサンプルデータに基づいてシンボル同期及びハイパーフレーム同期を確立する制御手段と、を具備するＡＤＳＬモデム装置。
【請求項２】
前記独自信号は、前記ＮＥＸＴ部に非ＲＥＶＥＲＢ信号としてＲＥＶＥＲＢ信号から位相を反転させたＳＥＧＵＥ信号が用いられることを特徴とする請求項１記載のＡＤＳＬモデム装置。
【請求項３】
前記制御手段は、１シンボルに相当する数のサンプルデータを用いてフーリエ変換処理を実行し、そのフーリエ変換結果を逆フーリエ変換することにより、実際のシンボル位置とサンプルデータの取出し位置とのずれを表すインパルス応答を検出し、インパルス応答の検出位置からシンボル先頭を求めることを特徴とする請求項１又は請求項２記載のＡＤＳＬモデム装置。
【請求項４】
前記制御手段は、１シンボル分のサンプルデータのうち先頭からインパルス応答のピーク位置までのサンプル数ｒを求め、次に１シンボル分のサンプルデータを取り込む際に、先頭のサンプルデータから、１シンボル分のサンプル数Ｎから前記サンプル数ｒを減算した（Ｎ−ｒ）個までのサンプルデータを破棄し、以降は廃棄された次のサンプルデータを先頭としてサンプルデータを取り込むことによりシンボル同期を確立することを特徴とする請求項３記載のＡＤＳＬモデム装置。
【請求項５】
前記制御手段は、シンボル同期を確立した後、ＲＥＶＥＲＢ信号の数を計数し、ＲＥＶＥＲＢ信号の計数結果とハイパーフレームにおけるＦＥＸＴ部又はＮＥＸＴ部の連続性とに基づいてハイパーフレームの同期を確立することを特徴とする請求項１から請求項４のいずれかに記載のＡＤＳＬモデム装置。
【請求項６】
前記制御手段は、ＲＥＶＥＲＢ信号が５シンボル連続する部分を検出し、当該検出部分からシンボルを計数してハイパーフレームの終了位置を特定することを特徴とする請求項５記載のＡＤＳＬモデム装置。
【請求項７】
前記独自信号は、イニシャライズ手順においてＣ−ＲＥＶＥＲＢ１、Ｃ−ＲＥＶＥＲＢ２、Ｃ−ＲＥＶＥＲＢ３のいずれかの送信区間において受信されることを特徴とする請求項１から６のいずれかに記載のＡＤＳＬモデム装置。
【請求項８】
前記独自信号は、イニシャライズ手順において最初のＰＩＬＯＴ信号の送信区間において受信されることを特徴とする請求項１から請求項６のいずれかに記載のＡＤＳＬモデム装置。
【請求項９】
前記独自信号は、ＰＩＬＯＴ信号のハイパーフレームにおいて第１サブフレーム及び又は第２サブフレームに挿入されることを特徴とする請求項８記載のＡＤＳＬモデム装置。
【請求項１０】
イニシャライズ手順が開始されると既知個数のシンボルからなりＦＥＸＴ部とＮＥＸＴ部とで構成されたハイパーフレーム形式の信号を送信する送信手段と、Ｃ−ＲＥＶＥＲＢ１、Ｃ−ＲＥＶＥＲＢ２、Ｃ−ＲＥＶＥＲＢ３のいずれかの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を前記送信手段から送信させる制御手段と、を具備するＡＤＳＬモデム装置。
【請求項１１】
イニシャライズ手順が開始されると既知個数のシンボルからなりＦＥＸＴ部とＮＥＸＴ部とで構成されたハイパーフレーム形式の信号を送信する送信手段と、Ｃ−ＰＩＬＯＴ１又はＣ−ＰＩＬＯＴ１Ａの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を、ハイパーフレームの最初から数サブフレームだけ前記送信手段から送信させる制御手段と、を具備するＡＤＳＬモデム装置。
【請求項１２】
イニシャライズ手順が開始されると既知個数のシンボルからなりＦＥＸＴ部とＮＥＸＴ部とで構成されたハイパーフレーム形式の信号を受信し、この受信された信号をサンプリングしてサンプルデータを出力し、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後に当該独自信号のサンプルデータに基づいてシンボル同期及びハイパーフレーム同期を確立することを特徴とする通信方法。
【請求項１３】
イニシャライズ手順が開始されると既知個数のシンボルからなりＦＥＸＴ部とＮＥＸＴ部とで構成されたハイパーフレーム形式の信号を送信し、Ｃ−ＲＥＶＥＲＢ１、Ｃ−ＲＥＶＥＲＢ２、Ｃ−ＲＥＶＥＲＢ３のいずれかの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を送信させることを特徴とする通信方法。
【請求項１４】
イニシャライズ手順が開始されると既知個数のシンボルからなりＦＥＸＴ部とＮＥＸＴ部とで構成されたハイパーフレーム形式の信号を送信し、Ｃ−ＰＩＬＯＴ１又はＣ−ＰＩＬＯＴ１Ａの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を、ハイパーフレームの最初から数サブフレームだけ送信させることを特徴とする通信方法。
【発明の詳細な説明】
【０００１】
【発明の属する技術分野】
本発明は、ＩＴＵ−Ｔ勧告であるＧ．９９２．１（以下、Ｇ．ｄｍｔという）、Ｇ．９９２．２（以下、Ｇ．ｌｉｔｅという）に規定されるＡＤＳＬ通信モデム装置及びその通信方法に関する。
【０００２】
【従来の技術】
ＩＴＵ−Ｔ勧告のＧ．ｄｍｔのＡｎｎｅｘ．Ｃによる通信では、端末側（ＡＴＵ−Ｒ）は、Ｃ−ＰＩＬＯＴ信号を受信することにより、ハイパーフレームの同期を確立している。具体的には、センター側（ＡＴＵ−Ｃ）が、キャリア番号６４及びキャリア番号４８を使用したＣ−ＰＩＬＯＴ１又はＣ−ＰＩＬＯＴ１Ａ（Ａｃｃｏｍｐａｎｉｅｄ　ｐｉｌｏｔ）を送信し、ＡＴＵ−Ｒが、ＰＩＬＯＴ信号を分析してハイパーフレームの同期を確立し、フレーム先頭における同期ずれを１シンボル以内に調整している。
【０００３】
ＡＴＵ−Ｒは、ハイパーフレームの同期確立後、ＡＴＵ−Ｃから送信されるＣ−ＲＥＶＥＲＢを分析して、物理レイヤーの同期となるシンボル同期の微調整を行っていた。ここでは、Ｃ−ＲＥＶＥＲＢからなるハイパーフレームから任意のシンボル区切りで２５６サンプルを取出し、２５６サンプルからインパルス応答を求め、インパルス応答のピーク位置からシンボル先頭を求めてシンボル同期調整を行っていた。
【０００４】
【発明が解決しようとする課題】
しかしながら、ＰＩＬＯＴ信号に基づいてハイパーフレームの同期を確立した後、Ｃ−ＲＥＶＥＲＢに基づいてシンボルの同期を確立していることから、論理レイヤーであるハイパーフレームの同期を確立し、その後に論理レイヤーよりも低いレイヤーである物理レイヤーでシンボルの同期を確立するという、不合理な手順を行っていることから、同期処理を行うことが困難であった。つまり、ＰＩＬＯＴ信号（＃４８と＃６４）信号を使って大雑把なシンボル同期調整を行うという処理が必要であり、その処理に手間がかかるとともに二度手間となる処理となり、複雑な処理を必要としていた。
【０００５】
また、ＰＩＬＯＴ信号はＡ４８信号及びキャリア番号６４のキャリア信号であるので、通信環境によっては同期処理が不安定となりエラーが発生する可能性が高くなる問題がある。特に、ＡＴＵ−ＣとＡＴＵ−Ｒとの距離が遠距離になると一層顕著に現れる。
【０００６】
本発明は以上のような実情に鑑みて成されたものであり、ハイパーフレームの同期とシンボルの同期とを同時に確立することができ、しかもＡＴＵ−ＣとＡＴＵ−Ｒとの距離が遠距離になっても確実に同期確立できるＡＤＳＬモデム装置及びその通信方法を提供することを目的とする。
【０００７】
【課題を解決するための手段】
本発明は、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後に当該独自信号のサンプルデータに基づいてシンボル同期及びハイパーフレーム同期を確立するものとした。
【０００８】
【発明の実施の形態】
本発明の第１の態様は、イニシャライズ手順が開始されると既知個数のシンボルからなりＦＥＸＴ部とＮＥＸＴ部とで構成されたハイパーフレーム形式の信号が受信される受信手段と、この受信手段で受信された信号をサンプリングしてサンプルデータを出力するサンプリング手段と、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後に当該独自信号のサンプルデータに基づいてシンボル同期及びハイパーフレーム同期を確立する制御手段と、を具備するＡＤＳＬモデム装置である。
【０００９】
このように構成されたＡＤＳＬモデム装置によれば、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を受信して、当該独自信号のサンプルデータに基づいてシンボル同期及びハイパーフレーム同期を確立するので、１つの信号からシンボル同期とハイパーフレーム同期を確立することができ、処理の効率化をはかることができる。しかも、ＦＥＸＴ部のＲＥＶＥＲＢ信号に基づいて同期確立処理を行うので、キャリア番号４８及びキャリア番号６４の信号で同期確立を図る場合に比べてキャリア数も多く、且つ定周波数域のキャリアを含むことから安定した処理を実現できる。
【００１０】
本発明の第２の態様は、第１の態様のＡＤＳＬモデム装置において、前記独自信号は、前記ＮＥＸＴ部に非ＲＥＶＥＲＢ信号としてＲＥＶＥＲＢ信号から位相を反転させたＳＥＧＵＥ信号が用いられるものとした。
【００１１】
これにより、独自信号は、ＮＥＸＴ部に非ＲＥＶＥＲＢ信号としてＲＥＶＥＲＢ信号から位相を反転させたＳＥＧＵＥ信号が用いられるので、ＦＥＸＴ部のＲＥＶＥＲＢ信号の認識精度が向上し、信頼性を改善できる。
【００１２】
本発明の第３の態様は、第１又は第２の態様のＡＤＳＬモデム装置において、前記制御手段は、１シンボルに相当する数のサンプルデータを用いてフーリエ変換処理を実行し、そのフーリエ変換結果を逆フーリエ変換することにより、実際のシンボル位置とサンプルデータの取出し位置とのずれを表すインパルス応答を検出し、インパルス応答の検出位置からシンボル先頭を求めるものである。
【００１３】
本発明の第４の態様は、第３の態様のＡＤＳＬモデム装置において、前記制御手段は、１シンボル分のサンプルデータのうち先頭からインパルス応答のピーク位置までのサンプル数ｒを求め、次に１シンボル分のサンプルデータを取り込む際に、先頭のサンプルデータから、１シンボル分のサンプル数Ｎから前記サンプル数ｒを減算した（Ｎ−ｒ）個までのサンプルデータを破棄し、以降は廃棄された次のサンプルデータを先頭としてサンプルデータを取り込むことによりシンボル同期を確立するものである。
【００１４】
本発明の第５の態様は、第１から第４のいずれかの態様のＡＤＳＬモデム装置において、前記制御手段は、シンボル同期を確立した後、ＲＥＶＥＲＢ信号の数を計数し、ＲＥＶＥＲＢ信号の計数結果とハイパーフレームにおけるＦＥＸＴ部又はＮＥＸＴ部の連続性とに基づいてハイパーフレームの同期を確立するものとした。
【００１５】
本発明の第６の態様は、第５の態様のＡＤＳＬモデム装置において、前記制御手段は、ＲＥＶＥＲＢ信号が５シンボル連続する部分を検出し、当該検出部分からシンボルを計数してハイパーフレームの終了位置を特定するものとした。
【００１６】
本発明の第７の態様は、第１から第６のいずれかの態様のＡＤＳＬモデム装置において、前記独自信号は、イニシャライズ手順においてＣ−ＲＥＶＥＲＢ１、Ｃ−ＲＥＶＥＲＢ２、Ｃ−ＲＥＶＥＲＢ３のいずれかの送信区間において受信されるものとした。
【００１７】
これにより、独自信号に含まれるＲＥＶＥＲＢ信号を、本来のＲＥＶＥＲＢ信号として使用できると共にハイパーフレームの同期確立にも使用でき、効率の良い処理が実現される。
【００１８】
本発明の第８の態様は、第１から第６のいずれかの態様のＡＤＳＬモデム装置において、前記独自信号は、イニシャライズ手順において最初のＰＩＬＯＴ信号の送信区間において受信されるものとした。
【００１９】
これにより、イニシャライズ手順の最初にシンボル同期及びハイパーフレーム同期を取ることができ、イニシャライズ手順の安定性を改善できる。
【００２０】
本発明の第９の態様は、第８の態様のＡＤＳＬモデム装置において、前記独自信号は、ＰＩＬＯＴ信号のハイパーフレームにおいて第１サブフレーム及び又は第２サブフレームに挿入されるものとした。
【００２１】
本発明の第１０の態様は、イニシャライズ手順が開始されると既知個数のシンボルからなりＦＥＸＴ部とＮＥＸＴ部とで構成されたハイパーフレーム形式の信号を送信する送信手段と、Ｃ−ＲＥＶＥＲＢ１、Ｃ−ＲＥＶＥＲＢ２、Ｃ−ＲＥＶＥＲＢ３のいずれかの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を前記送信手段から送信させる制御手段と、を具備するＡＤＳＬモデム装置である。
【００２２】
本発明の第１１の態様は、イニシャライズ手順が開始されると既知個数のシンボルからなりＦＥＸＴ部とＮＥＸＴ部とで構成されたハイパーフレーム形式の信号を送信する送信手段と、Ｃ−ＰＩＬＯＴ１又はＣ−ＰＩＬＯＴ１Ａの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を、ハイパーフレームの最初から数サブフレームだけ前記送信手段から送信させる制御手段と、を具備するＡＤＳＬモデム装置である。
【００２３】
本発明の第１２の態様は、イニシャライズ手順が開始されると既知個数のシンボルからなりＦＥＸＴ部とＮＥＸＴ部とで構成されたハイパーフレーム形式の信号を受信し、この受信された信号をサンプリングしてサンプルデータを出力し、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号の受信開始後に当該独自信号のサンプルデータに基づいてシンボル同期及びハイパーフレーム同期を確立することを特徴とする通信方法でる。
【００２４】
本発明の第１３の態様は、イニシャライズ手順が開始されると既知個数のシンボルからなりＦＥＸＴ部とＮＥＸＴ部とで構成されたハイパーフレーム形式の信号を送信し、Ｃ−ＲＥＶＥＲＢ１、Ｃ−ＲＥＶＥＲＢ２、Ｃ−ＲＥＶＥＲＢ３のいずれかの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を送信させることを特徴とする通信方法である。
【００２５】
本発明の第１４の態様は、イニシャライズ手順が開始されると既知個数のシンボルからなりＦＥＸＴ部とＮＥＸＴ部とで構成されたハイパーフレーム形式の信号を送信し、Ｃ−ＰＩＬＯＴ１又はＣ−ＰＩＬＯＴ１Ａの送信区間において、ＦＥＸＴ部にＲＥＶＥＲＢ信号が挿入されＮＥＸＴ部にＲＥＶＥＲＢ信号と区別し得る非ＲＥＶＥＲＢ信号が挿入された独自信号を、ハイパーフレームの最初から数サブフレームだけ送信させることを特徴とする通信方法である。
【００２６】
（実施の形態１）
図１は、本発明が適用されるＡＴＵ−Ｒ側の通信システムの概略構成を示す図である。同図に示す通信システムは、公衆回線網又はこれと同等の回線網（以下、回線という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００２７】
ＡＤＳＬモデム装置２は、後述するハンドシェイク手順、イニシャライズ手順等を実行するトランシーバ１１と、このトランシーバ１１を含む全体の動作を制御するホスト１２とを備えている。
【００２８】
トランシーバ１１の回線側端部はアナログフロントエンド（以下、ＡＦＥという）を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。
【００２９】
また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３０】
図２はトランシーバ１１の機能ブロック図である。プロセッサ２０は、データ通信（ショータイム）が開始される前段で、ハンドシェイク手順、イニシャライズ手順を実行する機能を備える部分である。
【００３１】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、ＩＦＦＴという）するＩＦＦＴ部２６から構成されている。
【００３２】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。トランシーバ１１は、ホストインターフェース（Ｉ／Ｆ）３４を介してホスト１２と接続される。
【００３３】
上記ＡＤＳＬモデム装置２に対してメタリックケーブルを介してセンター側のＡＤＳＬモデム装置が接続される。センター側のＡＤＳＬモデム装置は、上記ＡＤＳＬモデム装置２と同様の構成を備えている。センター側は、通信事業者の設置した交換機である場合には、電話機４は存在しない。
【００３４】
次に以上のように構成された本実施の形態の動作について具体的に説明する。特に、イニシャライズ手順を実行する際の動作について詳しく説明する。
【００３５】
ＡＴＵ−ＣとＡＴＵ−Ｒとは、Ｇ．９９４．１に基づいたハンドシェイク手順でイニシャライズ手順の内容（規格の種類又は独自手順）を決定し、決定した内容にしたがったイニシャライズ手順（独自手順又は通常手順のＧ．ｄｍｔ、Ｇ．ｌｉｔｅ等）を実行して同期確立並びに通信速度等のパラメータを決定し、イニシャライズ手順で決定したパラメータを使用してショータイム（データ通信）を実行する。
【００３６】
図３を参照してＧ．ｄｍｔに基づいた通常のイニシャライズ手順について説明する。ＡＴＵ−Ｃは、Ｃ−ＱＵＩＥＴ２（無音区間）の後に、ハイパーフレームにてＣ−ＰＩＬＯＴ１又はＣ−ＰＩＬＯＴ１Ａを送信し、ＡＴＵ−ＲからＲ−ＲＥＶＥＲＢ１の応答があればＣ−ＲＥＶＥＲＢ１、Ｃ−ＰＩＬＯＴ２、Ｃ−ＥＣＴ、Ｃ−ＲＥＶＥＲＢ２の順に決められた信号を送信する。一方、ＡＴＵ−Ｒは、Ｒ−ＱＵＩＥＴ２（無音区間）の間にＣ−ＰＩＬＯＴ１又はＣ−ＰＩＬＯＴ１Ａを検出したならば、その時点でハイパーフレームの同期を確立する。そして、同期確立したハイパーフレームにてＲ−ＲＥＶＥＲＢ１を送信し、Ｒ−ＱＵＩＥＴ３の無音区間の後、Ｒ−ＥＣＴ、Ｒ−ＲＥＶＥＲＢ２といった決められた信号を順に送信する。以上が、Ｇ．ｄｍｔに基づいた通常のイニシャライズ手順の導入部分である。
【００３７】
本実施の形態では、イニシャライズ手順においてハイパーフレーム同期とシンボル同期とを同時に確立させる独自手順を用意している。この独自手順をサポートしているか否かはハンドシェイク手順においてお互いに確認される。
【００３８】
独自手順では、ＡＴＵ−Ｃは、Ｃ−ＲＥＶＥＲＢ１又はＣ−ＲＥＶＥＲＢ２の送信区間に後述する独自ＲＥＶＥＲＢを送出し、ＡＴＵ−Ｒは、その独自ＲＥＶＥＲＢ信号に基づいてハイパーフレーム同期とシンボル同期とを同時期に確立させる。
【００３９】
独自手順を実行した場合、ＡＴＵ−Ｒは独自ＲＥＶＥＲＢを受信してシンボル同期及びハイパーフレーム同期を確立するまでＲ−ＲＥＶＥＲＢ１を送信しない。しかし、ＡＴＵ−ＲがＣ−ＰＩＬＯＴに基づいてどのような処理をするかは任意に定めることができる。また、本発明が独自ＲＥＶＥＲＢを送信する区間はＣ−ＲＥＶＥＲＢ１の送信区間に限定されるものではなく、Ｃ−ＲＥＶＥＲＢ２、Ｃ−ＲＥＶＥＲＢ３の送信区間であってもよい。本例では、説明の便宜上、独自ＲＥＶＥＲＢを送信する区間はＣ−ＲＥＶＥＲＢ１の送信区間であるとする。
【００４０】
図４はＧ．ｄｍｔに基づいた独自のイニシャライズ手順の導入部分を示すシーケンス図である。本実施の形態では、ＡＴＵ−Ｃは、Ｃ−ＱＵＩＥＴ２（無音区間）の後に、ハイパーフレームにてＣ−ＰＩＬＯＴ（Ｃ−ＰＩＬＯＴ１又はＣ−ＰＩＬＯＴ１Ａ）を送信し、所定シンボル送信したら独自ＲＥＶＥＲＢの送信を開始する。そして、独自ＲＥＶＥＲＢの送信から所定時間内にＲ−ＲＥＶＥＲＢ１を検出できたならば、Ｃ−ＰＩＬＯＴ２、Ｃ−ＥＣＴ、Ｃ−ＲＥＶＥＲＢ２の順に決められた信号を送信する。一方、ＡＴＵ−Ｒは、Ｃ−ＰＩＬＯＴを受信してもハイパーフレームの同期をとるための処理は実行せず、独自ＲＥＶＥＲＢを検出したところで初めてシンボル同期とハイパーフレーム同期をとる処理を実行している。そして、ＡＴＵ−Ｒは、ＡＴＵ−Ｃ側とシンボル同期並びにハイパーフレーム同期がとられたハイパーフレームにてＲ−ＲＥＶＥＲＢ１を送信するようにしている。
【００４１】
ここで、Ｃ−ＲＥＶＥＲＢ１の区間に送信される独自ＲＥＶＥＲＢについて詳しく説明する。
【００４２】
Ｇ．ｄｍｔのＡｎｎｅｘ．Ｃ仕様の場合、ＴＣＭ−ＩＳＤＮが混在する通信環境を考慮して特殊な方式が採用されている。ＴＣＭ−ＩＳＤＮは、送信側と受信側を時分割多重するためのスイッチングに起因した高周波ノイズ（ＩＳＤＮノイズ）を発生させる。そこで、ハイパーフレームは、ＩＳＤＮノイズの影響が小さい区間をＦＥＸＴ区間、影響が強い区間のＮＥＸＴ区間として区分けできるようにしている。
【００４３】
図５はＧ．ｄｍｔのＡｎｎｅｘ．Ｃで定められた３４５シンボルで構成されるハイパーフレームの構成を示している。ハイパーフレームは０〜３１のサブフレームで構成されていて、各サブフレームにはＦＥＸＴシンボルが連続するＦＥＸＴ区間と、ＮＥＸＴシンボルが連続するＮＥＸＴ区間とが存在する。
【００４４】
ＡＴＵ−Ｃは、図３に示す”Ｂｅｇｉｎｎｉｎｇ　ｏｆ　Ｈｙｐｅｒｆｒａｍｅ”からＦＥＸＴシンボルとＮＥＸＴシンボルで構成されたハイパーフレームの送信を開始している。そして、独自手順としてＣ−ＲＥＶＥＲＢ１の送信区間に相当する区間において、ＦＥＸＴ区間ではＣ−ＲＥＶＥＲＢを送信するが、ＮＥＸＴ区間ではＣ−ＳＥＧＵＥ１と同じ信号を送信する。このように、ＦＥＸＴ区間ではＣ−ＲＥＶＥＲＢのシンボルが送られ、ＮＥＸＴ区間ではＣ−ＳＥＧＵＥのシンボルが送られる信号を独自信号と呼ぶものとする。
【００４５】
Ｃ−ＳＥＧＵＥは、Ｃ−ＲＥＶＥＲＢに対して単純に位相が反転した信号である。したがって、ＡＴＵ−Ｒにおいて、Ｃ−ＲＥＶＥＲＢからＣ−ＳＥＧＵＥへの切り替わりを確実に捕捉することができる。すなわち、Ｃ−ＳＥＧＵＥとＣ−ＲＥＶＥＲＢとを組合せると、ＦＥＸＴシンボルとＮＥＸＴシンボルの認識が容易で、捕捉ミス及び認識ミスが少ないという利点を利用できる。また、Ｃ−ＳＥＧＵＥとＣ−ＲＥＶＥＲＢとを組合せると、シンボル同期前に最初に取出す２５６サンプルがＲＥＶＥＲＢシンボルとＳＥＧＥＵシンボルとの境界をまたぐような場合であっても、その位置でインパルス応答がピークとなるのでシンボル同期を取ることができる。
【００４６】
なお、本発明では「独自ＲＥＶＥＲＢ」はＣ−ＲＥＶＥＲＢとＣ−ＳＥＧＵＥとの組み合わせに限定されるものではない。ＡＴＵ−Ｒにおいて、Ｃ−ＲＥＶＥＲＢとの区別が可能であればＣ−ＳＥＧＵＥ以外の信号でも同様の作用効果を得ることができる。また、ＳＥＧＵＥ以外の信号との組合せであっても上記同様にＲＥＶＥＲＢシンボルとの境界でインパルス応答が現れる信号であることが望ましいダ。
【００４７】
図５に示すように、ハイパーフレームは０番〜３１番のサブフレームで構成されているが、１３番と２２番のサブフレームだけはＦＥＸＴシンボルが５つ連続している。本実施の形態では、２２番のサブフレームにおける最後のＦＥＸＴシンボル（第２４１シンボル）を認識したら、その後に第３４４シンボルまで受信シンボルを計数する。そして、次のシンボルの先頭をハイパーフレームの先頭と認識して、ハイパーフレーム同期を確立する。
【００４８】
次に、独自のイニシャライズ手順において、独自ＲＥＶＥＲＢに基づいてリモート側にてシンボル同期とハイパーフレーム同期とを一連の処理で確立するための処理について説明する。
【００４９】
図６はセンター側のＡＴＵ−Ｃが独自のイニシャライズ手順において独自ＲＥＶＥＲＢを送信するためのフロー図である。ＡＴＵ−Ｃは、ＡＴＵ−Ｒとの間でハンドシェイク手順を実行し（ステップＳ１００）、イニシャライズ手順で独自モードを実行するか否か決定する（ステップＳ１０１）。例えば、リモート側からセンター側に対してモードセレクト信号を送信し、センター側で独自モードをサポートしていればＡＣＫを返すことでイニシャライズ手順として独自モードを使用することを確認し合うことができる。
【００５０】
なお、独自モードをサポートしていない場合にはＧ．ｄｍｔ等の通常の手順が選択されて実行される（ステップＳ１０２）。通常のＧ．ｄｍｔが選択された場合は、図３に示すシーケンスが実行される。
【００５１】
ハンドシェイク手順において独自モードが選択された場合、Ｃ−ＱＵＩＥＴ２の後、Ｃ−ＰＩＬＯＴを所定シンボル数だけ送信したら（ステップＳ１０３）、ステップＳ１０４からステップＳ１０８の処理により、独自ＲＥＶＥＲＢを生成して送信する。すなわち、図３に示すハイパーフレームのＦＥＸＴ区間ではＣ−ＲＥＶＥＲＢのシンボルを所定個（４個又は５個）連続して送信し（ステップＳ１０４、１０５）、ＮＥＸＴ区間ではＣ−ＳＥＧＵＥのシンボルを所定個（６個又は７個）連続して送信する（ステップＳ１０６、１０７）。そしてＣ−ＲＥＶＥＲＢ１を規定シンボル数（本例では５１２シンボル）以上送信したか否か判断し（ステップＳ１０８）、Ｃ−ＲＥＶＥＲＢ１を規定シンボル数送信していれば、Ｃ−ＰＩＬＯＴ２の送信を開始する（ステップＳ１０９）。以下、通常のＧ．ｄｍｔ手順と同じである。
【００５２】
ここで、送信シンボルがＦＥＸＴシンボルであるのかＮＥＸＴシンボルであるのかを決定する演算式がＧ．ｄｍｔに定められているので、その演算式にしたがうものとする。以下のその演算式である。
【００５３】
Ｓ＝２７２×Ｎｄｍｔｍｏｄ２７６０
を計算し、もし（Ｓ＋２７１）＜ａ　又はＳ＞ｄならば、ＦＥＸＴシンボルと推定し、もしＳ＞ｂで且つＳ＜ｃならば、ＮＥＸＴシンボルと推定する。
【００５４】
なお、Ｎｄｍｔ＝ハイパーフレームにおけるシンボル番号、ａ＝１２４３、ｂ＝１４０３、ｃ＝２６１３、ｄ＝２７０４とする。
【００５５】
図７はリモート側のＡＴＵ−Ｒにおける独自のイニシャライズ手順並びに通常のイニシャライズ手順を示すフロー図である。ハンドシェイク手順を実行して（ステップＳ２００）、イニシャライズ手順で独自モードを使用するか否か決定する（ステップＳ２０１）。
【００５６】
ステップＳ２０１で独自モードを選択した場合は、ステップＳ２０２へ分岐する。上記したように、ＡＴＵ−ＣがＣ−ＰＩＬＯＴを送信してくるが、ステップＳ２０２では、Ｃ−ＰＩＬＯＴに基づいたハイパーフレームの同期確立の処理は行わない。
【００５７】
次にＡＴＵ−Ｃが送信する独自ＲＥＶＥＲＢを受信し、ＦＦＴ部２７のバッファメモリ２７ａに１シンボル分のサンプリングデータを蓄えてフーリエ変換を行う（ステップＳ２０３，Ｓ２０４，Ｓ２０５）。このとき、ＦＴＴ処理では１シンボル分のサンプリングデータに対して演算を実行しているが、シンボル同期確立前であるので、図３に示すＦＥＸＴシンボル又はＮＥＸＴシンボルの１シンボル分のサンプルデータではない可能性が高い。例えば、図３において第Ｎシンボルと第Ｎ＋１シンボルに跨る２５６サンプルである可能性が高い。
【００５８】
プロセッサ２０は、２５６サンプルのＦＦＴ出力を逆フーリエ変換して（ステップＳ２０６）、インパルス応答を検出する（ステップＳ２０７）。
【００５９】
ここで、図１０、図１１を参照してインパルス応答からシンボル同期をとる原理について説明する。送信側の１シンボル（２５６サンプル）の信号であるｘ（ｔ）に対して、受信側では「ａ」だけずれたシンボル区切りで抽出した２５６サンプルの信号がｙ（ｔ）であるとする。ｘ（ｔ）とｙ（ｔ）の関係はずれ「ａ」を使って次のようにモデル化できる。
【００６０】
ｙ（ｔ）＝ｘ（ｔ−ａ）＊ｈ（ｔ）…（１）
ｈ（ｔ）：伝達関数
時間軸で表現された（１）式を、フーリエ変換して周波数軸に変換すると次のようになる。
【００６１】
Ｙ（ω）＝Ｘ（ω）ｅ−ｊａω・Ｈ（ω）
Ｙ（ω）／Ｘ（ω）＝ｅ−ｊａω・Ｈ（ω）…（２）
周波数軸で表現された（２）式を逆フーリエ変換して時間軸に変換すると次のようになる。
【００６２】
ｙ（ｔ）／ｘ（ｔ）＝ｈ（ｔ−ａ）…（３）
（３）式はインパルス応答のピーク位置が、ずれ「ａ」の位置に現れることを意味している。図１１（ａ）（ｂ）は（３）式の波形図である。同図に示すように、シンボル先頭から「ａ」だけずれた位置にインパルス応答のピークが現れる。すなわち、シンボルの境界でピーク位置が現れるのである。
【００６３】
プロセッサ２０は、以上の演算を実行してインパルス応答を求め、現在の抽出サンプルデータの先頭からピーク位置までのサンプル数を計算し（サンプル数ｒ）、（２５６−ｒ）を破棄サンプル数としてＦＦＴ部２７に指示する。ＦＦＴ部２７は、次の２５６サンプルの抽出では、指示された破棄サンプル数（２５６−ｒ）をバッファメモリ２７ａから破棄し、破棄した次のサンプルを第１サンプルとしてそこから２５６サンプル毎に１シンボルとして抽出するようにする。これ以降は、図９に示すＮＥＸＴシンボル（ＳＥＧＵＥ（４））の先頭から２５６サンプル単位でサンプルを取出すので、現実の受信シンボルの区切りとシンボル区切りとが一致した状態、すなわちシンボル同期が確立した状態となる。なお、図９はハイパーフレームの第１サブフレーム部分を抜き出したもので、ＦＥＸＴシンボルの第３シンボルからＮＥＸＴシンボルの第６シンボルまでを示している。
【００６４】
このために、図７のステップＳ２０８ではインパルス応答のピーク位置をステップＳ２０４で抽出したサンプルの何番目になるか検出し、ｒサンプル目であれば（２５６−ｒ）サンプルをバッファメモリから取出して廃棄する（ステップＳ２０９、Ｓ２１０）。この結果、バッファメモリに残されている先頭サンプルは図９に示す第５シンボル（ＮＥＸＴシンボルであるＳＥＧＵＥ）の先頭となる。したがって、バッファメモリに残されている先頭サンプルから２５６サンプルを取出すことで（ステップＳ２１１）、シンボル同期がとられた状態で第５シンボルを取出せることになる。
【００６５】
プロセッサ２０は、以上のようにしてシンボル同期がとれたならば、２５６サンプル毎にフーリエ変換処理を行い（ステップＳ２１２）、ハイパーフレーム同期をとるためのデータ処理を実行する（ステップＳ２１３）。
【００６６】
図８はステップＳ２１３のデータ処理の詳細を示すフロー図である。データ処理では、フーリエ変換により変換されるシンボルのコンステレーションデータから当該シンボルがＲＥＶＥＲＢシンボルであるか否か判定する。例えば、図９に示すようにハイパーフレームの第５シンボル目でシンボル同期がとれた場合、その後のＲＥＶＥＲＢシンボルであるか否かの判定では、第１０シンボルまでは５回連続で「否」と判定される。そして、第１１シンボル目を判定したときに初めてＲＥＶＥＲＢシンボルと認識される。その後は、第１４シンボルまで連続して「ＲＥＶＥＲＢ」と判定される。ステップＳ３０１の処理では連続して「ＲＥＶＥＲＢ」であると判定されるシンボル数を計数している。そして、ＲＥＶＥＲＢシンボルが５つ連続していたか否か判定する（ステップＳ３０２）。ＲＥＶＥＲＢシンボルが５つ連続して検出される前にＳＥＧＵＥシンボルが検出されたときは、それまで計数していた「ＲＥＶＥＲＢ」のシンボル数をリセットする。すなわち、ステップＳ３００からステップＳ３０２の処理により、ＲＥＶＥＲＢシンボルが５つ連続する個所を検出する。
【００６７】
図５に示すようにＦＥＸＴシンボル（＝ＲＥＶＥＲＢ）が５つ連続する個所は、第１３サブフレームと第２２サブフレームである。よって、第０サブフレームから第１２サブフレームまではＲＥＶＥＲＢ信号の計数値はリセットされ、第１３サブフレームで初めてステップＳ３０２で「ＹＥＳ」と判定される。ステップＳ３０２で「ＹＥＳ」と判定されたならばカウンタをインクリメントする。そして、カウンタのカウンタ値が２であるか否か判定する（ステップＳ３０３）。すなわち、ステップＳ３００からステップＳ３０３の処理を繰り返して第２２サブフレームでＦＥＸＴシンボル（＝ＲＥＶＥＲＢ）が５つ連続する個所の最後のＦＥＸＴシンボルを検出する。図５に示すように第２２サブフレームの第２４１シンボルを判定したときにステップＳ３０２でカウンタがインクリメントされて「２」となり、ステップＳ３０３からステップＳ３０４へ分岐する。
【００６８】
ステップＳ３０４では、第２２サブフレームで５つ連続したＦＥＸＴシンボル（＝ＲＥＶＥＲＢ）の最後のＦＥＸＴシンボル（第２４１シンボル）の次のシンボルから所定個数のシンボルを計数する。ここで、所定個数のシンボルとは、第２４１シンボルからハイパーフレームの最後尾のシンボル（第３４４シンボル）までのシンボル数を意味する。本例では、シンボル数＝１０２が所定個数のシンボルとなる。
【００６９】
ステップＳ３０４の処理でシンボル計数値が所定個数に到達したと判断したら、シンボル計数値をリセットし（ステップＳ３０５）、次のシンボルを０番目のシンボルとしてシンボルの計数を開始する（ステップＳ３０６）。この結果、ハイパーフレームの同期も確立したことになる。なお、本実施の形態では信頼性を向上させるために２回同じ処理を繰り返してから終了している（ステップＳ３０７）。
【００７０】
なお、ステップＳ２０１の判断で独自モードではなく通常のモードであると判断した場合は、ステップＳ２１４へ分岐して規格通りのイニシャライズ手順を実行する。すなわち、ＰＩＬＯＴ信号を受信し（ステップＳ２１４）、その受信ＰＩＬＯＴ信号からハイパーフレーム同期を確立して（ステップＳ２１５）、Ｒ−ＲＥＶＥＲＢ１を応答する。さらに、Ｃ−ＲＥＶＥＲＢ１を受信すると（ステップＳ２１６）、そのＣ−ＲＥＶＥＲＢ１に基づいてシンボル同期を確立し（ステップＳ２１７）、残りのイニシャライズ手順を実行する（ステップＳ２１８）。イニシャライズ手順が終了したらショータイムに入りデータ通信を開始する（ステップＳ２１９）。
【００７１】
このように、独自手順において、Ｃ−ＰＩＬＯＴに対しては同期確立の処理を実行しないで、Ｃ−ＲＥＶＥＲＢに基づいて同期確立させるよにしたので、シンボル同期とハイパーフレーム同期の両方を同時期に確立することができ、同期確立の二度手間を解消して、処理を簡素化することができる。
【００７２】
また、ＲＥＶＥＲＢ信号はキャリア番号３２からキャリア番号１２７、又はキャリア番号２５５までの複数本のキャリアで構成され、かつ低周波数のキャリアが含まれるので、高周波数側のキャリアが到達しなくても低周波数側のキャリアを利用して安定した同期確立を実現でき、エラー発生が少なく信頼性を改善できる。
【００７３】
また、独自ＲＥＶＥＲＢとしてＦＥＸＴ区間にＲＥＶＥＲＢ信号を使用し、ＮＥＸＴ区間にＳＥＧＵＥ信号を使用するので、ＦＥＸＴシンボルとＮＥＸＴシンボルとの区別が容易となり、ＦＥＸＴシンボル（ＲＥＶＥＲ）の検出精度を上げることができる。
【００７４】
（実施の形態２）
以上の説明ではＣ−ＲＥＶＥＲＢ１又はＣ−ＲＥＶＥＲＢ２においてシンボルとハイパーフレームの同期を確立するケースを説明したが、Ｃ−ＰＩＬＯＴに代えて独自ＰＩＬＯＴを使用してシンボルとハイパーフレームの同期を確立するようにしてもよい。
【００７５】
図１２に独自ＰＩＬＯＴのハイパーフレーム構成を示す。同図に示すように、Ｃ−ＰＩＬＯＴの送信においてもＦＥＸＴ区間ではＲＥＶＥＲＢシンボルを送信し、ＮＥＸＴ区間ではＳＥＧＵＥシンボルを送信する。なお、第３サブフレーム以降は無信号とする。図１３（ａ）は、図１２に示すＲＥＶＥＲＢ信号の使用周波数（キャリア）を示し、図１３（ｂ）は図１２に示すＳＥＧＵＥ信号の使用周波数（キャリア）を示している。図１４、図１５に示すように、従来はキャリア番号４８のキャリアでＣ−ＰＩＬＯＴ信号を送信していたが、本実施の形態ではキャリア番号３２からキャリア番号６３の複数本のキャリアを使用している。
【００７６】
本実施の形態は、上記実施の形態１と同じ構成の通信システムであるので、実施の形態１と同一構成要素には同一番号を使用する。
【００７７】
ＡＴＵ−Ｃ及びＡＴＵ−Ｒは、図３に示すシーケンスにしたがってイニシャライズを実行するが、独自モードでは、ＡＴＵ−ＣがＣ−ＰＩＬＯＴ１又はＣ−ＰＩＬＯＴ１Ａに代えて図１２に示す独自ＰＩＬＯＴを送信し、ＡＴＵ−Ｒが独自ＰＩＬＯＴに基づいてシンボルとハイパーフレームの同期を確立する。
【００７８】
図１６はＡＴＵ−Ｒでの独自モードのイニシャライズ手順における同期確立のフロー図である。ＡＴＵ−Ｃとの間で実行されたハンドシェイク手順において独自モードが選択されて、ＡＴＵ−Ｃが図１２に示す独自ＰＩＬＯＴを送信したものとする。
【００７９】
ＡＴＵ−Ｒは、ハンドシェイク手順で独自モードのイニシャライズを申し合わせた後、信号エネルギーを検知すると独自ＰＩＬＯＴを受信したと判断する（ステップＳ４００）。独自ＰＩＬＯＴのサンプルデータをバッファメモリ２７ａに格納しながら任意のシンボル区切りにて２５６サンプルを取出す（ステップＳ４０１）。実施の形態１と同様にインパルス応答を検出して（ステップＳ４０２）、シンボル同期を確立する（ステップＳ４０３）。
【００８０】
これにより、図１２に示す第１サブフレーム内のＲＥＶＥＲＢシンボルとＲＥＶＥＲＢシンボルとの境界、又はＳＥＧＵＥシンボルとＳＲＧＵＥシンボルとの境界、又は図９に示すようにＲＥＶＥＲＢシンボルとＳＲＧＵＥシンボルとの境界にピークが現れたインパルス応答に基づいてシンボル同期がとられたことになる。
【００８１】
シンボル同期が確立したら、バッファメモリ２７ａから次シンボルのサンプルデータを２５６サンプルを取出し（ステップＳ４０４）、ハイパーフレームの同期を確立するためのデータ処理を実行する（ステップＳ４０５）。
【００８２】
図１７はステップＳ４０５の処理内容を示すフロー図である。同図に示すように、１シンボル分のサンプルデータをフーリエ変換して各キャリアのコンステレーションデータを求め（ステップＳ５０１）、当該シンボルがＲＥＶＥＲＢシンボルであるかＳＥＧＵＥシンボルであるかを判定する（ステップＳ５０２）。そして、ハイパーフレームの第１サブフレーム及び第２サブフレームでのＲＥＶＥＲＢシンボルからＳＥＧＵＥシンボルへの境目を検出する（ステップＳ５０３）。
【００８３】
上記したように、独自ＰＩＬＯＴはハイパーフレームの第１サブフレームと第２サブフレームにだけＲＥＶＥＲＢシンボル及びＳＥＧＵＥシンボルを入れているので、第２サブフレームにおいてＲＥＶＥＲＢシンボルからＳＥＧＵＥシンボルへの境目を検出して、当該境目を基準にしてハイパーフレームの同期を確立させる。
【００８４】
そこで、ステップＳ５０２の処理でシンボルの種別を登録し、ステップＳ５０３の処理でＲＥＶＥＲＢシンボルが連続して登録された後にＳＥＧＵＥシンボルが検出されたか否か判定する。このような境目が検出されるまでステップＳ４０４へ分岐してシンボル（２５６サンプル）の取り込みを繰り返す。
【００８５】
そして、上記境目が２回検出されたならば（ステップＳ５０４）、第２サブフレームの第１４シンボル（ＲＥＶＥＲＢ）と第１５シンボル（ＳＥＧＵＥ）との境界を認識する（ステップＳ５０５）。その後は、１シンボル単位となる２５６サンプルづつデータを取り込んで、シンボル計数カウンタをインクリメントし（ステップＳ５０６）、シンボル数が２９９に到達するまで２５６サンプル単位の取り込みとシンボル計数カウンタのインクリメントを繰り返す（ステップＳ５０７）。ハイパーフレームは第１５シンボルから最後尾のシンボルである第３４４シンボルまでのシンボル数が２９９である。したがって、３００シンボル目がハイパーフレームの先頭になる。本実施の形態は３００シンボル目をハイパーフレームの先頭と認識することにより、ハイパーフレームの同期を確立したことになる（ステップＳ７０８）。
【００８６】
このように本実施の形態によれば、ハイパーフレームの第１サブフレームと第２サブフレームのＦＥＸＴ区間にＲＥＶＥＲＢシンボルを挿入し、ＮＥＸＴ区間にＳＥＧＵＥシンボルを挿入した独自ＰＩＬＯＴを生成して、リモート側でシンボル同期とハイパーフレーム同期を同時期に確立させることができる。
【００８７】
なお、以上の説明では第１サブフレームと第２サブフレームだけを使用しているが、第３サブフレームを含む３つ以上のサブフレームを使用すればさらに信頼性を上げることができる。また、第１サブフレームだけであってもＲＥＶＥＲＢとＳＥＧＵＥの境目を検出して、そこからハイパーフレームの最後のシンボルまで計数することにより、ハイパーフレームの同期を取ることが可能である。
【００８８】
【発明の効果】
以上詳記したように本発明によれば、ハイパーフレームの同期とシンボルの同期とを同時に確立することができ、しかもＡＴＵ−ＣとＡＴＵ−Ｒとの距離が遠距離になっても確実に同期確立できるＡＤＳＬモデム装置及びその通信方法を提供できる。
【図面の簡単な説明】
【図１】本発明の実施の形態１，２に係るリモート側通信システムの構成図
【図２】図１に示すトランシーバの機能ブロック図
【図３】Ｇ．ｄｍｔに基づいたイニシャライズ手順のシーケンスを示す図
【図４】実施の形態１での独自モードでのイニシャライズ手順のシーケンスを示す図
【図５】ハイパーフレームのＦＥＸＴ区間とＮＥＸＴ区間の割付を示す図
【図６】実施の形態１でのセンター側における独自モードでの独自ＲＥＶＥＲＢの送信手順を示すフロー図
【図７】実施の形態１でのリモート側における独自モード及び通常モードでのシンボル同期、ハイパーフレーム同期を示すフロー図
【図８】図７のデータ処理の詳細を示すフロー図
【図９】シンボル同期の原理説明図
【図１０】シンボル区切りがずれた状態を示す図
【図１１】インパルス応答のピーク位置とシンボル区切りのずれとの関係を示す図
【図１２】実施の形態２における独自ＰＩＬＯＴのハイパーフレーム構成を示す図
【図１３】独自ＰＩＬＯＴのＲＥＶＥＲＢ及びＳＥＧＵＥの使用キャリアを示す図
【図１４】通常のＣ−ＰＩＬＯＴのハイパーフレーム構成を示す図
【図１５】通常のＣ−ＰＩＬＯＴの使用キャリアを示す図
【図１６】実施の形態２におけるリモート側でのシンボルの同期確立処理を示すフロー図
【図１７】実施の形態２におけるリモート側でのハイパーフレームの同期確立処理を示すフロー図
【符号の説明】
１　スプリッタ
２　ＡＤＳＬモデム装置
３　ユーザ端末
４　電話機
１１　トランシーバ
１２　ホスト
１３　ＡＦＥ
１４、１８　アナログフィルタ
１５　ドライバ
１６　ハイブリッド
１７　レシーバ
２０　プロセッサ
２１　リードソロモン符号化部
２２　インターリーブ部
２３　トレリス符号化部
２４　トーンオーダリング部
２５　コンステレーション符号化部
２６　ＩＦＦＴ
２７　ＦＦＴ部
２８　コンステレーション復号化／ＦＥＱ部
２９　トーンデオーダリング部
３０　ビタビ復号化部
３１　デインターリーブ部
３２　リードソロモン復号化部
【図１】
2004064444.tif 000003
【図２】
2004064444.tif 000004
【図３】
2004064444.tif 000005
【図４】
2004064444.tif 000006
【図５】
2004064444.tif 000007
【図６】
2004064444.tif 000008
【図７】
2004064444.tif 000009
【図８】
2004064444.tif 000010
【図９】
2004064444.tif 000011
【図１０】
2004064444.tif 000012
【図１１】
2004064444.tif 000013
【図１２】
2004064444.tif 000014
【図１３】
2004064444.tif 000015
【図１４】
2004064444.tif 000016
【図１５】
2004064444.tif 000017
【図１６】
2004064444.tif 000018
【図１７】
2004064444.tif 000019